(57)【要約】【課題】ステップ部材に吊り上げ具を係合させたときには可搬式発電機を吊り上げることができず、可搬式発電機の落下を未然に防止して可搬式発電機を保護することができる昇降用ステップの取付構造を有する可搬式発電機を提供する。【解決手段】エンジンや発電機を収容したケーシング１２の天板１３に吊り上げ具１８が係合する吊り金具１９を設けるとともに、ケーシングの側壁１５から天板１３にわたって昇降用のステップ２１を形成する複数段のステップ部材２２，２３を設けた可搬式発電機１１において、前記ステップ部材２３に係合した吊り上げ具１８ａを介して、該ステップ部材２３に可搬式発電機１１を吊り上げる方向の力が加わった際に、該ステップ部材２３が、前記吊り上げ具１８ａとの係合状態を解除する方向に移動可能な状態、あるいは、前記ケーシングから外れる状態とする。【選択図】図１
2008202457.tif 000002
【特許請求の範囲】
【請求項１】
エンジン及び該エンジンによって駆動される発電機をケーシング内に収容し、該ケーシングの天板に吊り上げ具が係合する吊り金具を設けるとともに、該ケーシングの側壁から天板にわたって昇降用のステップを形成する複数段のステップ部材を設けた可搬式発電機において、前記ステップ部材に係合した吊り上げ具を介して、該ステップ部材に可搬式発電機を吊り上げる方向の力が加わった際に、該ステップ部材が、前記吊り上げ具との係合状態を解除する方向に移動可能な状態、あるいは、前記ケーシングから外れる状態で、前記ケーシングに取り付けられていることを特徴とする可搬式発電機。
【請求項２】
前記ステップ部材が、一端が前記ケーシングに対して回動可能に取り付けられ、他端が前記ケーシングに対して着脱可能に取り付けられた棒状部材で形成されるとともに、該棒状部材をあらかじめ設定した位置に付勢する付勢手段が設けられていることを特徴とする請求項１記載の可搬式発電機。
【請求項３】
前記ステップ部材が、両端が前記ケーシングに対して着脱可能に取り付けられた棒状部材で形成されるとともに、該棒状部材を係止手段によってあらかじめ設定した位置に係止したことを特徴とする請求項１記載の可搬式発電機。
【請求項４】
前記ステップ部材が移動又は外れるときの前記吊り上げる方向の力は、前記可搬式発電機を吊り上げるのに必要な力に対してあらかじめ設定した安全率を乗じて設定されていることを特徴とする請求項１乃至３のいずれか１項記載の可搬式発電機。
【請求項５】
前記ステップ部材が移動又は外れるときの前記吊り上げる方向の力は、可搬式発電機を吊り上げるのに必要な力の５０％以下の範囲に設定されていることを特徴とする請求項１乃至４のいずれか１項記載の可搬式発電機。
【発明の詳細な説明】
【技術分野】
【０００１】
本発明は、可搬式発電機に関し、詳しくは、エンジンや該エンジンによって駆動される発電機、エンジンや発電機の付属機器等をケーシング内に収容した可搬式発電機における昇降用ステップの構造に関する。
【背景技術】
【０００２】
エンジンで発電機を駆動する可搬式発電機では、エンジン等から発生する騒音を低減するため、防音構造を有するケーシング内にエンジンや発電機等の各種機器を収容することが行われている。また、ケーシングの天板部分には、クレーン等で可搬式発電機を吊り上げる際にクレーンのフックやワイヤーロープ等の吊り上げ具を係合させるための吊り金具が設けられるとともに、大型の可搬式発電機では、ケーシング上で作業を行う際の昇降用としてケーシングの側壁から天板にわたってステップが設けられている（例えば、特許文献１参照。）。
【特許文献１】特開２００４−６８６０４号公報
【発明の開示】
【発明が解決しようとする課題】
【０００３】
上述のような可搬式発電機において、作業者が誤って吊り上げ具をステップ上部のステップ部材に係合させた状態で可搬式発電機を吊り上げようとした場合、ステップ部材の強度と可搬式発電機の質量（吊り上げ力）とのバランスから、吊り上げ途中でステップ部材が破損して可搬式発電機が落下し、エンジンや発電機等に損傷を与えるおそれがあった。
【０００４】
そこで本発明は、ステップ部材に吊り上げ具を係合させたときには可搬式発電機を吊り上げることができず、可搬式発電機の落下を未然に防止して可搬式発電機を保護することができる昇降用ステップの取付構造を有する可搬式発電機を提供することを目的としている。
【課題を解決するための手段】
【０００５】
上記目的を達成するため、本発明の可搬式発電機は、エンジン及び該エンジンによって駆動される発電機をケーシング内に収容し、該ケーシングの天板に吊り上げ具が係合する吊り金具を設けるとともに、該ケーシングの側壁から天板にわたって昇降用のステップを形成する複数段のステップ部材を設けた可搬式発電機において、前記ステップ部材に係合した吊り上げ具を介して、該ステップ部材に可搬式発電機を吊り上げる方向の力が加わった際に、該ステップ部材が、前記吊り上げ具との係合状態を解除する方向に移動可能な状態、あるいは、前記ケーシングから外れる状態で、前記ケーシングに取り付けられていることを特徴としている。
【０００６】
また、本発明の前記可搬式発電機は、前記ステップ部材は、一端が前記ケーシングに対して回動可能に取り付けられ、他端が前記ケーシングに対して着脱可能に取り付けられた棒状部材で形成され、該棒状部材をあらかじめ設定した位置に付勢する付勢手段が設けられていること、あるいは、前記ステップ部材は、両端が前記ケーシングに対して着脱可能に取り付けられた棒状部材で形成されるとともに、該棒状部材を係止手段によってあらかじめ設定した位置に係止したことを特徴としている。
【０００７】
さらに、本発明の可搬式発電機は、前記ステップ部材が移動又は外れるときの前記吊り上げる方向の力は、前記可搬式発電機を吊り上げるのに必要な力に対してあらかじめ設定した安全率を乗じて設定されていること、特に、ステップ部材が移動又は外れるときの前記吊り上げる方向の力が、可搬式発電機を吊り上げるのに必要な力の５０％以下の範囲に設定されていることを特徴としている。
【発明の効果】
【０００８】
本発明の可搬式発電機によれば、作業者が誤って吊り上げ具をステップ上部のステップ部材に係合させた状態で可搬式発電機を吊り上げようとした場合、ステップ部材に可搬式発電機を吊り上げる方向の力が加わることで吊り上げ具との係合状態が解除されたり、ステップ部材がケーシングから外れたりするので、クレーンを操作しても可搬式発電機を吊り上げることができず、したがって、可搬式発電機が落下することもない。
【発明を実施するための最良の形態】
【０００９】
図１は本発明の可搬式発電機の一形態例を示す斜視図、図２はステップ部材の取付構造の第１形態例を示す正面図、図３はステップ部材の取付構造の第２形態例を示す正面図、図４はステップ部材の取付構造の第３形態例を示す正面図である。
【００１０】
まず、図１に示すように、可搬式発電機１１は、防音構造を有するケーシング１２の内部に、図示しないエンジンや発電機等を収容して防音対策と搬送の容易化とが図られている。ケーシング１２は、天板１３及び底板１４と、長手方向の一対の側壁１５及び短手方向の一対の端壁１６とで形成された箱状のものであって、側壁１５や端壁１６には点検扉１５ａや吸気口１６ａ等が設けられている。
【００１１】
また、高さが１３００ｍｍを超えるような比較的大型の可搬式発電機１１における天板１３及び両側壁１５の長手方向中央部には、天板１３及び両側壁１５にわたって連続する凹部１７が設けられており、凹部１７の天板１３中央部で、可搬式発電機１１の重心の上方位置には、クレーンのフックやワイヤーロープ等の吊り上げ具１８を係合させるための吊り金具１９が設けられている。
【００１２】
この吊り金具１９は、凹部１７の両側壁１７ａ，１７ａに設けられた補強部材２０を介してケーシング１２に固着された金属製棒状部材からなるもので、金属製棒状部材自体の強度及びその固着強度は、可搬式発電機１１の質量を考慮して設定され、例えば、可搬式発電機１１を吊り上げ可能な力の数倍程度の力に耐えられる強度で固着されている。したがって、図１に想像線で示すように、この吊り金具１９に吊り上げ具１８を係合させることにより、クレーンを用いて可搬式発電機１１を安全かつ容易に搬送することができる。
【００１３】
前記側壁１５から天板１３にわたる凹部１７には、ケーシング１２上で作業を行う際の昇降用としてステップ２１が設けられている。このステップ２１は、複数のステップ部材２２，２３を所定の上下間隔で配置して形成したものであって、各ステップ部材２２，２３には、人間が握れる太さで所定の強度を有する金属製棒状部材が用いられている。側壁１５の部分に設けられた各ステップ部材２２は、その両端が凹部１７の両側壁１７ａ，１７ａに溶接等の固着手段により、ステップ２１として必要な強度で固着されている。
【００１４】
一方、ケーシング１２の上部側に位置するステップ部材２３は、側壁１５の部分に設けられた前記ステップ部材２２と同様に、両端が前記凹部１７の両側壁１７ａ，１７ａに取り付けられているが、このステップ部材２３の取付強度は、図１に実線で示すように、このステップ部材２３に吊り上げ具１８ａを係合させて可搬式発電機１１を吊り上げようとして、ステップ部材２３に可搬式発電機１１を吊り上げる方向の力が加わった際に、該ステップ部材２３が、前記吊り上げ具１８ａとの係合状態を解除する方向に移動可能な状態、あるいは、前記両側壁１７ａ，１７ａから外れる状態で、ケーシング１２に取り付けられており、ステップ部材２３に吊り上げ具１８ａを係合させたときには、可搬式発電機１１を吊り上げることができないように形成している。
【００１５】
ステップ部材２３の取付構造として、図２に示す第１形態例では、前記凹部１７の一方の側壁１７ａに固着した枢支部材２４にステップ部材２３の一端を水平方向の支軸２４ａにより鉛直方向に回動可能に取り付け、前記凹部１７の他方の側壁１７ａに固着したパイプの半割体からなる支持部材２５にステップ部材２３の他端を上方に向かってのみ着脱可能に支持した状態で取り付けるとともに、一方の側壁１７ａの枢支部材２４より底部側とステップ部材２３の中間部との間に、ステップ部材２３があらかじめ設定された位置、すなわち、ステップ部材２３の他端が支持部材２５に支持される方向に付勢する付勢手段としてコイルスプリング２６を設けている。
【００１６】
本第１形態例において、ステップ部材２３に前記吊り上げ具１８ａを係合させて可搬式発電機１１を吊り上げようとし、可搬式発電機１１を吊り上げる方向の力がステップ部材２３に加わった際に、吊り上げる方向の力が、前記コイルスプリング２６がステップ部材２３の他端を支持部材２５の方向に付勢する力を上回ると、図２に想像線で示すように、ステップ部材２３が枢支部材２４の支軸２４ａを中心としてステップ部材２３の他端が上方に向かって回動し、ステップ部材２３と吊り上げ具１８ａとの係合状態が解除される。これにより、ステップ部材２３に係合させた吊り上げ具１８ａが外れて可搬式発電機１１を吊り上げることができないようになる。
【００１７】
また、図３に示す第２形態例では、ステップ部材２３の両端を同方向に折り曲げてコ字状に形成し、両折曲部２３ａの先端部にピン挿通孔２３ｂを形成するとともに、前記凹部１７の両側壁１７ａ，１７ａに両折曲部２３ａを挿通可能な筒状部材２７をそれぞれ固着し、ステップ部材２３の両端の折曲部２３ａを筒状部材２７の筒内に挿通した状態で前記ピン挿通孔２３ｂに、係止手段として割ピン等の係止ピン２８を挿通して係止ピン２８を筒状部材２７の下端に係止させることにより、ステップ部材２３をケーシング１２に取り付けている。
【００１８】
本第２形態例では、ステップ部材２３に前記吊り上げ具１８ａを係合させて可搬式発電機１１を吊り上げようとしたときの吊り上げ方向の力によって前記係止ピン２８が破断し、折曲部２３ａが筒状部材２７から抜け出てステップ部材２３がケーシング１２から外れることにより、ステップ部材２３に係合させた吊り上げ具１８ａでは可搬式発電機１１を吊り上げることができないようにしている。
【００１９】
図４に示す第３形態例では、ステップ部材２３の一端を前記第１形態例と同様に、前記凹部１７の一方の側壁１７ａに固着した枢支部材２４に支軸２４ａを介して回動可能に取り付けるとともに、ステップ部材２３の他端は、ステップ部材２３の他端の回動軌跡に対して接線方向で、ケーシング１２の下方に向くように折り曲げて、先端部にピン挿通孔２３ｂを有する折曲部２３ａを形成し、前記第２形態例と同様に、この折曲部２３ａを他方の側壁１７ａに固着した筒状部材２７の筒内に挿通してピン挿通孔２３ｂに係止ピン２８を挿通することにより、ステップ部材２３をケーシング１２に取り付けている。
【００２０】
本第３形態例では、ステップ部材２３に前記吊り上げ具１８ａを係合させて可搬式発電機１１を吊り上げようとしたときの吊り上げ方向の力により前記ピン２８が破断し、折曲部２３ａが筒状部材２７から抜け出るとともに、前記第１形態例と同様にステップ部材２３が枢支部材２４の支軸２４ａを中心として回動し、ステップ部材２３と吊り上げ具１８ａとの係合状態が解除される。
【００２１】
各形態例に示すように、ケーシング１２に設けられている昇降用のステップ２１を構成するステップ部材２２，２３の中で、作業者が誤って吊り上げ具１８ａを係合させてしまうおそれのあるステップ部材２３を、吊り上げ方向にある程度以上の力が加わったときに、吊り上げ具１８ａとの係合状態を解除可能な状態、あるいは、ケーシング１２から外れる状態に形成しておくことにより、ステップ部材２３に吊り上げ具１８ａを係合させてクレーンを操作しても可搬式発電機１１を吊り上げることができなくなり、吊り上げ途中で可搬式発電機１１が落下するというおそれもなくなる。
【００２２】
ここで、前記ステップ部材２３が移動又は外れる際の吊り上げ方向の力は、ステップ部材２３を取り付ける可搬式発電機１１の質量によって異なるが、例えば、可搬式発電機１１の質量を１００とし、吊り上げ具１８ａを２本のステップ部材２３に係合させたときには、可搬式発電機１１を吊り上げるための吊り上げ力は両ステップ部材２３で等分すればそれぞれ５０となることから、ステップ部材２３に加わる吊り上げ方向の力が５０以下でステップ部材２３が移動又は外れるように設定すればよいこと、すなわち、可搬式発電機１１を吊り上げるのに必要な力の最大５０％以下の範囲に設定すればよいことになる。また、第２形態例においては、ステップ部材２３の両端に設けた２本の係止ピン２８に力が分散することから、係止ピン２８は、２５未満の力で破断するように設定すればよい。
【００２３】
なお、ステップ部材２３の回動方向や外れる方向は、吊り上げ具１８ａからステップ部材２３に加わる吊り上げ力の方向を考慮し、鉛直方向に対して上方がケーシング１２の中心に傾斜した方向とすることが好ましい。また、第１形態例におけるコイルスプリング２６のような付勢手段の構造や形状、取付位置は任意に設定することが可能であり、第２、第３形態例における係止ピン２８のような係止手段においても、構造や形状、取付位置は任意に設定することが可能である。さらに、すべてのステップ部材２２，２３を同じような取付構造でケーシング１２に取り付けておくこともできる。
【図面の簡単な説明】
【００２４】
【図１】本発明の可搬式発電機の一形態例を示す斜視図である。
【図２】ステップ部材の取付構造の第１形態例を示す正面図である。
【図３】ステップ部材の取付構造の第２形態例を示す正面図である。
【図４】ステップ部材の取付構造の第３形態例を示す正面図である。
【符号の説明】
【００２５】
１１…可搬式発電機、１２…ケーシング、１３…天板、１４…底板、１５…側壁、１５ａ…点検扉、１６…端壁、１６ａ…吸気口、１７…凹部、１７ａ…側壁、１８…吊り上げ具、１８ａ…吊り上げ具、１９…吊り金具、２０…補強部材、２１…ステップ、２２，２３…ステップ部材、２３ａ…折曲部、２３ｂ…ピン挿通孔、２４…枢支部材、２４ａ…支軸、２５…支持部材、２６…コイルスプリング、２７…筒状部材、２８…係止ピン
【図１】
2008202457.tif 000003
【図２】
2008202457.tif 000004
【図３】
2008202457.tif 000005
【図４】
2008202457.tif 000006